(57)【要約】      （修正有）【課題】被介護者がトイレ使用前後での転倒事故を防ぐトイレ用の介護用補助装置を提供する。【解決手段】左右の脚部２１、２２の底部の前後にキャスター７を設け、左右の脚部２１、２２の上部には対向するように側部枠体３１、３２が垂直に設けられ、左右の側部枠体３１、３２を後方で水平方向で連結する背もたれ部５とを設け、背もたれ部５とを連結するように固定便座６を設け、固定便座６は既存の便器の回動便座を跳ね上げた状態で便器の便座固定部９１の上部で、便座固定部９１の上面を水平に覆い被さる位置で介護用補助装置側に固定され、背もたれ部５は前記固定便座より高い位置に設けて、使用の際には固定便座が移動して既存の便器の便座固定部９１の上面に進入するトイレ用の介護用補助装置。【選択図】図２
2014064716.tif 000002
【特許請求の範囲】
【請求項１】
左右の脚部の底部の前後にキャスターを設け、
該左右の脚部の上部には対向するように側部枠体が垂直に設けられ、
該左右の側部枠体を後方で水平方向に連結する背もたれ部とを設け、
該背もたれ部の下方で連結する固定便座を設け、
該固定便座は、既存の便器の回動便座を跳ね上げた状態で該便器の便座固定部の上部で、該便座固定部の上面を水平に覆い被さる位置で介護用補助装置側に固定され、
前記背もたれ部は前記固定便座より高い位置に設けて、使用の際には該固定便座が前記既存の便器の前方から移動して該便器の便座固定部の上面に進入するようにしたことを特徴するトイレ用の介護用補助装置。
【請求項２】
前記側部枠体と前記固定便座との水平方向の隙間は、既存の便器の操作パネルが露出するような間隔巾を有するようにしたことを特徴とする請求項１に記載のトイレ用の介護用補助装置。
【請求項３】
前記左右の側部枠体の上部には肘当て部を設け、該肘当て部の前方端部には前記キャスターの一括してロックとロック解除が可能なキャスター操作部を設けたことを特徴とする請求項１又は２に記載のトイレ用の介護用補助装置。
【請求項４】
前記背もたれ部の外側適所には、前記キャスターの一括してロックとロック解除が可能なキャスター操作部を設けたことを特徴とする請求項１又は２又は３に記載のトイレ用の介護用補助装置。
【発明の詳細な説明】
【技術分野】
【０００１】
本発明は、主に、病院や介護施設等で被介護者が使用するトイレ用の介護用補助装置に関するものである。
【背景技術】
【０００２】
従来より、病人や高齢者等のトイレ使用は転倒等の事故が生じやすく、そのため、特許文献１に開示されているように、被介護者が車椅子から着座したまま便器まで移動する介護用トイレシステムが提案されている。しかし、この介護用トイレシステムは便器の近傍に大がかりなキャリー椅子を設備しなければならず、また、広いスペースが必要であるという問題点があった。
また、病院や介護施設等で病人や高齢者等の被介護者のトイレ使用時での事故は、歩行器や車椅子でトイレに移動の際や、トイレ使用時の前後で転倒することが多く、特に、被介護者のトイレ使用後の立ち上がり動作での転倒事故が起きることが多く報告されている。
【０００３】
また、従来のトイレ用車椅子は使用の際には、既存トイレの操作パネルを座席が覆ってしまい操作パネルが使用できなくなるといった不都合があった。
ところで、被介護者をトイレ便器の便座に無理のない姿勢で固定し、被介護者がトイレ使用時、及び、被介護者が介護者が介護しない状態で不用意に立ち上がらないようにしたトイレ用の介護用補助装置は、本発明者によって、特許文献２として提案されている。また、病院等に設置する床頭台の４個のキャスターを一括してロック及びロック解除する操作機構は、本発明者によって、特許文献３等で提案されている。
【先行技術文献】
【特許文献】
【０００４】
【特許文献１】特開２０１１−２３９９２０号公報
【特許文献２】特願２０１２−８６００１号
【特許文献３】特開２０１０−８８４９０号公報
【発明の概要】
【発明が解決しようとする課題】
【０００５】
本発明の課題は、上述した問題点に鑑みてなされたもので、ベッドからトイレ使用まで同一の介護用補助装置を使用することにより、歩行器や車椅子等からトイレへ移動動作や、その逆のトイレから車椅子への移動動作を無くして、被介護者がトイレ使用前後での転倒事故を防ぐトイレ用の介護用補助装置を提供しようとするものである。
【課題を解決するための手段】
【０００６】
上記課題を解決するために、請求項１の発明は、左右の脚部の底部の前後にキャスターを設け、該左右の脚部の上部には対向するように側部枠体が垂直に設けられ、該左右の側部枠体を後方で水平方向に連結する背もたれ部とを設け、
該背もたれ部の下方で連結する固定便座を設け、該固定便座は、既存の便器の回動便座を跳ね上げた状態で該便器の便座固定部の上部で、該便座固定部の上面を水平に覆い被さる位置で介護用補助装置側に固定され、前記背もたれ部は前記固定便座より高い位置に設けて、使用の際には該固定便座が前記既存の便器の前方から移動して該便器の便座固定部の上面に進入するようにしたことを特徴するトイレ用の介護用補助装置である。
請求項２の発明は、請求項１に記載のトイレ用の介護用補助装置において、前記側部枠体と前記固定便座との水平方向の隙間は、既存の便器の操作パネルが露出するような間隔巾を有するようにしたことを特徴とする。
請求項３の発明は、請求項１又は２に記載のトイレ用の介護用補助装置において、前記左右の側部枠体の上部には肘当て部を設け、該肘当て部の前方端部には前記キャスターの一括してロックとロック解除が可能なキャスター操作部を設けたことを特徴とする。
請求項４の発明は、請求項１又は２に記載のトイレ用の介護用補助装置において、前記背もたれ部の外側適所には、前記キャスターの一括してロックとロック解除が可能なキャスター操作部を設けたことを特徴とする。
【発明の効果】
【０００７】
本発明のトイレ用の介護用補助装置によれば、被介護者をベッド或いはトイレ室の外で介護用補助装置の便座に着席すれば、トイレ内で既存の便器の便座に移動する必要がなく、トイレ使用後もそのままの状態でトイレ室の外やベッドまで介護用補助装置で移動できるので、被介護者の歩行器や車椅子からトイレに移動の必要がなく、トイレ使用時の前後で転倒事故を防止することができる。
また、側部枠体と固定便座との水平方向の隙間巾は、既存の便器の操作パネルが露出する隙間巾を有するので、既存の便器の操作パネルを容易に操作することができ、介護用補助装置の隙間巾も操作パネルを含む広い巾となるので、被介護者が既存便器とトイレ室の壁の隙間に倒れ込み挟まれるような事故も防止できる。  
【０００８】
更に、一括してロックとロック解除が可能なキャスター及びキャスター操作部を採用したので、被介護者がトイレ使用が終了した場合は、直ちに介護者或いは被介護者によって本介護用補助装置を移動可能することができる。
また、前掲の特許文献１に開示されいるような介護用トイレシステムの採用も考えられるが、本介護用補助装置は、従来の比較的狭いトイレ室にも進入でき、病院や介護施設のトイレを改装することは広いスペースや多額の費用と日数がかかり、設置が困難であったが、本介護用補助装置を配備するだけで、上述した転倒防止策に対処できる。
【図面の簡単な説明】
【０００９】
【図１】本発明の実施例のトイレ用の介護用補助装置の前方から斜め上方からの斜視図、
【図２】図１の介護用補助装置をトイレにセットした状態の同様の斜視図
【図３】図１の後方からの介護用補助装置の斜視図、
【図４】図２の平面図、
【図５】図１の平面図、
【図６】図１の底面図
【図７】図１の正面図、
【図８】図１の右側側面図、
【図９】図２に移動テーブルをセットした状態の前方から斜め上方からの斜視図である。
【発明を実施するための形態】
【００１０】
本発明の介護用補助装置は、病室やトイレの近傍に配置して、被介護者がトイレを使用する場合に使用するもので、被介護者がトイレ使用時に車椅子や歩行器からトイレの便座に移動する必要がなく、被介護者がトイレ内で転倒することを防止するもので、以下に、本発明のトイレ用の介護用補助装置の実施例の詳細を図面に沿って説明する。
【実施例】
【００１１】
図１は、本発明の介護用補助装置の実施例の前方から斜め上方からの斜視図であり、図２は介護用補助装置をトイレにセットした状態の同様の斜視図であり、図３は図１の後方からの介護用補助装置の斜視図であり、図４は図２の平面図である。
図１において、介護用補助装置１は、平行に対向する右脚部２１と左脚部２２の上に組み立てられており、右脚部２１と左脚部２２の各底部２１１,２２１の前後にはキャスター７が設けられ、左右の脚部２１，２２の上部の上面２１２，２２２には対向するように逆Ｕ字状に側部枠体３１，３２が垂直に設けられ、右側部枠体３１の上部には長い肘当て部３１１が、左側部枠体３２の上部には短い肘当て部３２１が設けられいる。長い肘当て部３１１の前方の先端の下側裏面３１１１には、キャスター操作部７１の操作レバー７１１が配置され、短い肘当て部３２１は後述する便器９の操作パネル９４の操作がし易いように短くしてある。
左右の側部枠体３１，３２後方で水平方向に連結する背もたれ部が設けられている。この背もたれ部５は後方に被介護者が後方に倒れないようにするとともに、図３に示すように介護用補助装置１の固定便座６の後方を強固に支持している。
なお、必要に応じて、左右の側部枠体３１，３２の前方の下側には水平方向で連結する連結部材で連結してもよく、この連結部材は固定便座６の前方を固定してもよく、また、連結部材の下方には被介護者の足先が床に引っかからないように、足のせ板を設けてもよい。
【００１２】
このように固定便座６の後方は、背もたれ部５からの固定部材５１に固定されているが、背もたれ部５は固定便座６より高い位置に設けてあるので、図３、図７に示すように、固定便座６は介護用補助装置１の後方から見ると空中に浮いたようなっており、この空間に後述する既存の便器９の便座固定部９１が入り込むことができる。
図２、図４に示すように、介護用補助装置１の使用に際しては、既存の便器９の蓋９３と回動便座９２を跳ね上げた状態で便器９の便座固定部９１の上面を、介護用補助装置１側の固定便座６が水平に覆い被さる位置状態になるように配置されいる。したがって、被介護者を固定便座６に座らせたまま、介護用補助装置１の固定便座６を後方から、すなわち、既存の便器９の前方から便座固定部９１の上面に滑り込むようにしすればよい。
【００１３】
また、左右の側部枠体３１，３２の距離は、図４に示すように、十分大きくしてあり、左側の側部枠体３２と固定便座６の左側部６１との水平方向の隙間巾Ｄは、既存の便器９の操作パネル９４の上面が露出する間隔巾Ｄを有している。
図６の底面図に示すように、左右脚部２１,２２の各底部２１１,２２１の前後にはキャスター７が計４個設けられ、これらの４個のキャスター７はワイヤーによって一括してロックとロック解除が可能となっており、キャスター操作部７１の操作レバー７１１を挙げることによって、キャスター７のロック解除がなされて介護用補助装置１の移動が可能となる。通常はバネによって操作レバー７１１が上がった状態に維持されキャスター７がロックされ、通常は介護用補助装置１が床の所定の位置に固定された状態に維持される。
【００１４】
図８に示すように、このキャスター７を一括してロックとロック解除が可能なキャスター操作部７１は２箇所に設けられるが、１つは前述したように右側部枠体３１の上部には肘当て部３１１の下側裏面３１１１に設けられて被介護者自身が操作レバー７１１の操作が可能となる位置に設けられている。他の１つは、背もたれ部５の外側の上部の適所に設けられ、操作レバー７１１を介護者が容易に操作できる適宜の位置に設けられている。
【００１５】
この介護用補助装置１の実際の使用に際しては、介護用補助装置１の固定便座６に被介護者を座らせ、背中を背もたれ部５に当てて、両腕を左右の肘当て部３１１,３２１に置き、介護者は操作レバー７１１を引き揚げて、介護用補助装置１を移動可能状態にしてトイレに移動する。
トイレ室内では、先ず既存の便器９の蓋９３と回動便座９２を跳ね上げて水槽９５側に倒した状態で便器９の便座固定部９１の上面を露出した状態にし、介護用補助装置１の後方の背もたれ部５側から介護用補助装置１を既存の便器９上に移動させる。そして、介護用補助装置１の背もたれ部５で既存の跳ね上げた状態の回動便座９２の復帰を防ぐように押し込み、これにより介護用補助装置１の位置を安定させることができ、介護用補助装置１側の固定便座６が、便座固定部９１を水平に覆い被せる状態になるまで移動することができる。
この状態で、被介護者は固定便座６に座らせたまま、通常どおり便器９を使用することができ、使用が終了した後も固定便座６に座ったまま、介護用補助装置１ごとトイレ室の外に移動することができる。
【００１６】
更に、トイレ室での使用に際しては、図９に示すように、介護用補助装置１の前方に所定位置に固定できる移動テーブル８を用いてもよく、この移動テーブル８は、被介護者の前方に位置する水平のテーブル部８１が設けられ、テーブル部８１の被介護者を前側から前方に倒れることや、立ち上がることを防止する湾曲凹部８２が設けられ、移動テーブル８の脚部８３にも４個のキャスター８４が設けられ、これら４個のキャスター８４を一括してロックとロック解除が可能なキャスター操作部８５及び操作レバー８５１が設けられている。
この移動テーブル８を、図８のようにセットすることで、被介護者を固定できるので、前方に倒れることや、立ち上がることを防止することができるので、不測の転倒事故を防止することができる。
【００１７】
本発明の実施例のトイレ用の介護用補助装置１によれば、被介護者をベッド或いはトイレ室の外で介護用補助装置１の固定便座６に着席すれば、トイレ内で既存の便器９の回動便座９２に移動する必要がなく、トイレ使用後もそのままの状態でトイレ室の外やベッドまで介護用補助装置１で移動できるので、被介護者の歩行器や車椅子からトイレに移動の必要がなく、トイレ使用時の前後で転倒事故を防止することができる。
また、側部枠体３１,３２と固定便座６の側面６１との水平方向の隙間巾Ｄは、既存の便器９の操作パネル９４が露出する隙間巾Ｄを有するので、既存の便器９の操作パネル９４もそのまま使用することができ、介護用補助装置１全体の巾も操作パネル９４を含む広い巾となるので、被介護者が便器９とトイレ室の壁の間に倒れ込み挟まるといった事故も防止できる。
【００１８】
更に、一括してロックとロック解除が可能なキャスター７及びキャスター操作部７１を採用したので、被介護者がトイレ使用が終了した場合は、直ちに操作レバー７１１を介護者或いは被介護者によって操作することによって、本介護用補助装置１を移動可能することができ、逆に、通常のキャスター操作部７１を操作しない場合は、操作レバー７１１がバネでキャスター７をロック状態に維持しているので介護用補助装置１は床に固定されるので、介護用補助装置１が不意に移動するような不測の事故は防止できる。
また、前掲の特許文献１に開示されいるような介護用トイレシステムの採用も考えられるが、本介護用補助装置１を採用することにより、従来の比較的狭いトイレ室にも進入でき、病院や介護施設のトイレを改装することは広いスペースや多額の費用と日数がかかり、設置が困難であったが、本介護用補助装置１を配備するだけで、上述した転倒防止策に対処できる。
なお、本発明の特徴を損なうものでなければ、上記の各実施例に限定されるものでないことは勿論である。
【符号の説明】
【００１９】
１・・トイレ用の介護用補助装置
２１・・右脚部、２１１・・底部、２１２・・上面、
２２・・左脚部、２２１・・底部、２２２・・上面、
３１・・右側部枠体、３１１・・肘当て部、３１１１・・下側裏面
３２・・左側部枠体、３２１・・肘当て部、
５・・背もたれ部、５１・・固定部材
６・・固定便座、６１・・(左)側部
７・・キャスター、７１・・キャスター操作部、７１１・・操作レバー
８・・移動テーブル、８１・・テーブル部、８２・・湾曲凹部、
８３・・脚部、８４・・キャスター、８５・・キャスター操作部、
８５１・・操作レバー、
９・・便器、９１・・便座固定部、９２・・回動便座、９３・・蓋、
９４・・操作パネル、９５・・水槽、
【図１】
2014064716.tif 000003
【図２】
2014064716.tif 000004
【図３】
2014064716.tif 000005
【図４】
2014064716.tif 000006
【図５】
2014064716.tif 000007
【図６】
2014064716.tif 000008
【図７】
2014064716.tif 000009
【図８】
2014064716.tif 000010
【図９】
2014064716.tif 000011